(57)【要約】【課題】保管庫に収納される物品について入庫、出庫の判別を容易に且つ安価に実施する。【解決手段】保管庫である冷蔵庫１は、タグアンテナ５とタグリーダー１０２と制御部１０８とを備え、冷蔵庫１に収納する物品である食品４には第２のタグ３ｂを添付し、食品４を収納する使用者５０には第１のタグを取り付けこの２つのタグとタグアンテナ５とが電波を送受信する順序の違いによって冷蔵庫１に収納される食品の在庫管理を行う上での入出庫の判別を行う。これによって各食品について入庫しているものと出庫している食品とを区別して管理することができる。【選択図】図１
2005326113.tif 000002
【特許請求の範囲】
【請求項１】
人間の手に取り付けた第１の非接触ＩＤタグと、物品に添付した第２の非接触ＩＤタグと、電波を送受信する保管庫の開口部付近に取り付けかれているタグアンテナと、前記タグアンテナを介して前記第１、第２の非接触ＩＤタグに記憶されている情報を読み取るタグリーダーと、前記タグリーダーが読み取った情報を記憶する記憶部と、前記各部を制御する制御部とで構成される保管庫において、前記制御部は前記第１、第２の非接触ＩＤタグに記憶されている情報を前記タグアンテナが読み取る順番で前記保管庫に入庫か出庫か判別する保管庫。
【請求項２】
保管庫は計時部を備え、前記タグアンテナが第１、第２の非接触ＩＤタグのどちらか片方の非接触ＩＤタグからの電波を受信した後、前記計時部が予め定められた時間を計時する前にもう片方の非接触ＩＤタグからの電波を受信することで前記制御部は前記物品の入出庫を判別する請求項１に記載の保管庫。
【請求項３】
保管庫は、前記制御部が入出庫の判別を行う条件以外の場合（第１、第２の非接触ＩＤタグのどちらか片方の非接触ＩＤタグからの電波を受信した後、前記計時部が予め定められた時間を計時した後にもう片方の非接触ＩＤタグからの電波を受信した場合）には、再度前記計時部が時間の計時を行う請求項２に記載の保管庫。
【請求項４】
保管庫は送受信部を備え、前記送受信部を介して第１のネットワークで情報端末装置と接続されており、入出庫の判別を行うと前記情報端末装置に受信した第２のタグに記憶さている情報を通知する請求項１から３のいずれか１項に記載の保管庫。
【請求項５】
前記第１、第２の非接触ＩＤタグにはそれぞれを識別するための使用する識別情報を記憶させ、前記制御部は非接触ＩＤタグの種類の識別を行う請求項１から４のいずれか１項に記載の保管庫。
【請求項６】
請求項１〜５のいずれか１項に記載の保管庫の少なくとも一部をコンピュータに実行させるプログラム。
【発明の詳細な説明】
【技術分野】
【０００１】
本発明は、情報記憶機能と無線通信機能を有する非接触ＩＤタグを利用した保管庫とそのプログラムに関するものである。
【背景技術】
【０００２】
従来、非接触ＩＤタグを食器やトレイに埋設して食堂の自動清算処理を行うようにしたシステムや、電車の改札等に応用したシステムなどが実現され非接触ＩＤタグが身近な存在になり、更に安価に入手できるようになったこともあって、非接触ＩＤタグを利用して保管庫に収納する物品を管理する在庫管理機能付保管庫が様々提案されている（例えば、特許文献１参照）。また、こういった物品の在庫管理において非接触ＩＤタグの情報を読み取るタグリーダーは、このタグに記憶されている情報を読み取るものであって物品が保管庫に対して入庫したか及び出庫したかどうかは判別しない。その為、このタグリーダーを保管庫に複数搭載して物品の入出庫を判別する在庫管理システムも提案されている（例えば、特許文献２参照）。
【０００３】
図１０は、特許文献１に記載された従来の食品管理付保管庫で実現される食品管理システムの機能構成を示すものである。図１０に示すように保管庫である冷蔵庫１は冷蔵庫システム全体を制御するコントロールマイコン２と、非接触ＩＤタグであるメモリラベル３（物品である食品４に添付されるもので以後非接触ＩＤタグと呼ぶ）と非接触ＩＤタグ３と電波を送受信するタグアンテナ５と前記タグアンテナ５を介して非接触ＩＤタグに記憶されている情報を読み取ったり、非接触ＩＤタグへ情報を書き込んだりするタグリーダーライター６と、各種表示を行うための報知部７とで構成されている。
【０００４】
コントロールマイコン２には、非接触ＩＤタグ３から読み取った情報を記憶する記憶部８と、非接触ＩＤタグ３を添付している食品の賞味期限の管理等に用いる内部時計９とを備えているものとする。非接触ＩＤタグ３には、自身を識別する情報と自身を添付している食品の情報（商品名、賞味期限、値段）と自身が保管庫１の庫内にいるか庫外にいるかを示す情報などが記憶されている。報知部７には、記憶部８に記憶されている情報を報知し、使用者に保管庫１に収納している（していた）食品の現在の状況（賞味期限が過ぎているかどうか等）を表示する。
【０００５】
以上のような構成で、保管庫１より食品４の出し入れを行うために非接触ＩＤタグ３の情報の読み取りと書き込み（入出庫情報の書き込み）を行って食品管理機能付保管庫を実現させている。
【０００６】
図１１は、特許文献２に記載された従来の食品管理機能付保管庫を示すものである。図９で示すように保管庫である冷蔵庫１と非接触ＩＤタグ３（食品４に添付されるものである）と、この非接触ＩＤに記憶されている情報を読み取る第１、第２のタグアンテナ２１、２２とで構成されている。ここで、第１、第２のタグアンテナ２１、２２は冷蔵庫１のほぼ開口部に沿った枠状の形状で、開口部付近に近接して設置され、第２のタグアンテナ２２の方が第１のタグアンテナ２２より奥側に設置されている。以上のような構成で、第１のタグアンテナが第２のタグアンテナより先に食品４に添付されている情報を読み取った場合には、食品４が冷蔵庫１に入庫したと判別し、その逆の場合は出庫したと判別するようにして在庫管理を行っていくものである。
【特許文献１】特開２０００−６５４６５号公報
【特許文献２】特開２０００−３１０４７６号公報
【発明の開示】
【発明が解決しようとする課題】
【０００７】
しかしながら、前記従来の構成では、特許文献１においては食品４冷蔵庫１からの出し入れはある程度の速度で行われるために非接触ＩＤタグ３への情報への書き込みが失敗する場合があるため、例えば１度失敗すると報知部７で表示される情報に矛盾が生じてしまう。また、特許文献２において入出庫検知以外は同じ働きをするタグアンテナを２つ設置することは冷蔵庫１のコストアップにつながってしまう。
【課題を解決するための手段】
【０００８】
前記従来の課題を解決するために、本発明の保管庫は、人間の手に取り付けた第１の非接触ＩＤタグと、物品に添付した第２の非接触ＩＤタグと、電波を送受信する保管庫の開口部付近に取り付けかれているタグアンテナと、前記タグアンテナを介して前記第１、第２の非接触ＩＤタグに記憶されている情報を読み取るタグリーダーと、前記タグリーダーが読み取った情報を記憶する記憶部と、前記各部を制御する制御部とで構成される保管庫において前記制御部は前記各の非接触ＩＤタグに記憶されている情報を前記タグアンテナが読み取る順番で前記保管庫に入庫か出庫か判別するようにしたものである。
【０００９】
これによって、使用者が保管庫に物品を入庫する場合には、保管庫の開口部付近に搭載したタグアンテナは、必ず第２の非接触ＩＤタグ（物品に添付）が送信する電波を受信した後に第１の非接触タグ（人間の手に添付）が送信する電波を受信することになるので、使用者が特別な操作（保管庫に物品を入庫する動作以外の操作）を必要としなくても判別することができ、物品管理を行うことができる。出庫する場合については、入庫と逆に、保管庫に搭載されてタグアンテナは必ず第１の非接触ＩＤタグ（人間の手に添付）が送信する電波を受信した後に第２の非接触タグ（物品に添付）が送信する電波を受信するので物品の入出庫を容易に判別し、物品の在庫管理を行うことができる。
【００１０】
また、タグアンテナに比べて安価に入手することができる非接触タグを入出庫判別用に用いているので安価に実施することが可能である。
【発明の効果】
【００１１】
本発明の物品管理機能付冷蔵庫とそのプログラムは、非接触ＩＤタグを添付した物品について冷蔵庫からの入出庫を安価にかつ正確に判別することができる。
【発明を実施するための最良の形態】
【００１２】
第１の発明は、人間の手に取り付けた第１の非接触ＩＤタグと、物品に添付した第２の非接触ＩＤタグと、電波を送受信する保管庫の開口部付近に取り付けかれているタグアンテナと、前記タグアンテナを介して前記第１、第２の非接触ＩＤタグに記憶されている情報を読み取るタグリーダーと、前記タグリーダーが読み取った情報を記憶する記憶部と、前記各部を制御する制御部とで構成される保管庫において、前記制御部は前記各の非接触ＩＤタグに記憶されている情報を前記タグアンテナが読み取る順番で前記保管庫に入庫か出庫か判別することにより、使用者が保管庫に物品を入庫する場合には、保管庫の開口部付近に搭載したタグアンテナは必ず第２の非接触ＩＤタグから送信される電波を受信した後に第１の非接触タグから送信される電波を受信することになるので、使用者が特別な操作（保管庫に物品を入庫する動作以外の操作）を必要としなくても判別することができ、物品管理を行うことができる。出庫する場合については、保管庫に搭載されてタグアンテナは必ず第１の非接触ＩＤタグから送信される電波を受信した後に第２の非接触タグから送信される電波を受信するので物品の入出庫を容易に判別し、物品の在庫管理を行うことができる。
【００１３】
第２の発明は、特に、第１の発明の保管庫は計時部を備え、前記タグアンテナが第１、第２の非接触ＩＤタグのどちらか片方の非接触ＩＤタグからの電波を受信した後、前記計時部が予め定められた時間を計時する前にもう片方の非接触ＩＤタグからの電波を受信することで前記制御部は前記物品の入出庫を判別することにより、例えば、「出庫」の場合には前記タグアンテナは
（１）（何も物品を持っていない）手に取り付けられた第１非接触ＩＤタグの電波を受信し、（２）（出庫する物品を持った）手に取り付けられた第１の非接触ＩＤタグの電波を受信し、（３）物品に添付された第２の非接触ＩＤタグの電波を受信する。
そして、他の物品を出庫しようとした場合には、
（４）（何も物品を持っていない）手に取り付けられた第１非接触ＩＤタグの電波を受信するというような動作を行う。
【００１４】
上記で説明した（２）の電波を受信してから（３）の電波を受信するまでの時間は物品を前記保管庫取り出すという動作に連動して行われるので（２）と（３）の時間間隔Ｔ１は短くなり、２つの動作を必要とする（３）と（４）の時間間隔Ｔ２はＴ１よりは長くなる。そのため、入出庫判別を行う時間の上限を設定することによって（３）と（４）の動作で必要のない入出庫判別が行われることを防止することができる。
【００１５】
第３の発明は、特に、第２の発明の保管庫の前記制御部が入出庫の判別を行う条件以外の場合（第１、第２の非接触ＩＤタグのどちらか片方の非接触ＩＤタグからの電波を受信した後、前記計時部が予め定められた時間を計時した後にもう片方の非接触ＩＤタグからの電波を受信した場合には、再度前記計時部が時間の計時を行うようにすることにより、入出庫の判別を行う場合以外は常に計時部が時間を計時するようになるので、連続した食品入庫出庫が行われた場合の誤った入出庫の判別を前記制御部が行うことを防ぐことが可能になる。また、入出庫判別を行った場合には時間の計時を行う必要がない時間の計時を防止できる。
【００１６】
第４の発明は、特に、第１から３のいずれか１つの発明の保管庫は送受信部を備え、前記送受信部を介して第１のネットワークで情報端末装置と接続されており、入出庫の判別を行うと前記情報端末装置に受信した第２のタグに記憶さている情報を通知するようにすることにより保管庫と離して置かれている情報端末装置で保管庫に収納されている物品が何であるか確認することができる。
【００１７】
第５発明は、特に、第１から４のいずれか１つの発明の保管庫に搭載されているタグアンテナと電波の送受信を行う前記第１の非接触ＩＤタグには前記第２の非接触ＩＤタグと識別するための識別情報を記憶させ、前記制御部は第１と第２のタグを識別するようにすることにより、入出庫判別を容易に実施するようにすることができる。
【００１８】
第６の発明は、特に、第１から第５のいずれか１つの発明の保管庫の機能の少なくとも一部をコンピュータで実現するプログラムである。そして、プログラムであるのでＣＰＵ（マイコン）、ＲＡＭ、ＲＯＭ、記憶装置、Ｉ／Ｏなどを備えた電気情報機器、コンピュータ、サーバー等のハードリソースを協働させて本発明の保管庫の少なくとも一部を容易に実現することができる。また記録媒体に記録したり通信回線を用いてプログラムを配信したりすることでプログラムの配布やインストール作業が簡単にできる。
【００１９】
以下、本発明の実施の形態について、図面を参照しながら説明する。なお、この実施の形態によって本発明が限定されるものではない。
【００２０】
（実施の形態１）
図１から図９は、この発明に係る在庫管理機能付保管庫の第１の実施の形態を示す図である。なお、保管庫とは本実施の形態においては冷蔵庫であり、物品とは冷蔵庫に保管される食品として本実施の形態の説明を行う。
【００２１】
図１は、本実施の形態の在庫管理機能付冷蔵庫（以下単に冷蔵庫と呼ぶ）を含む冷蔵庫システムのシステム構成図を表す図である。図１において冷蔵庫１は、第１の非接触ＩＤタグ３ａ（以下単に第１のタグと呼ぶ）を身に着けている使用者５０と、第２の非接触ＩＤタグ３ｂ（以下単に第２のタグと呼ぶ）が添付されている食品４と、情報端末装置２００とサーバー３００とで構成されている。ここで、第１のタグは、使用者５０に対して食品４を取り扱う手に近い部分（本実施の形態では手首）に取り付けられているものとする。具体的にいうと手首に巻きつけられるバンド状のものを想定している。
【００２２】
ここで、冷蔵庫１には図２の冷蔵庫１の外観図に示すように第１、第２のタグ３ａ、３ｂと電波の送受信を行うタグアンテナ５が冷蔵庫１の冷蔵室の開口部付近に取り付けられていて（本実施の形態の冷蔵庫１は上から冷蔵室、野菜室、冷凍室の順で構成されている）、各タグと通信可能となっている。
【００２３】
また冷蔵庫１と情報端末装置２００とは、例えば、無線を媒体として利用する第１のネットワーク１５０（具体的にいうとエコーネット（Ｒ）の家庭内無線ネットワークを想定）で接続されていてそれぞれに無線通信ユニット１５１と１５２が設けられている。情報端末装置２００とサーバー３００はインターネットや公衆回線網を利用する第２のネットワーク２５０で接続される。
【００２４】
図１にも示すように冷蔵庫１と食品４と情報端末装置２００は、同一宅内にあるものとするが、サーバー３００については宅外に設置されるものとする。なお、冷蔵庫１と情報端末装置２００を接続する通信媒体に無線を利用構成としたが、電線や電源ラインにデータを重畳させる電灯線通信など有線であっても構わない。
【００２５】
図３は本実施の形態の冷蔵庫システムを構成する冷蔵庫１、冷蔵庫１の使用者５０が身に着けている第１のタグ３ａ、食品４に添付されている第２のタグ３ｂ、情報端末装置２００とサーバー３００それぞれの機能ブロック図である。
【００２６】
図３に示すように冷蔵庫１は、少なくともタグアンテナ５と、タグアンテナ５が受信した電波から第１、第２のタグ３ａ、３ｂに記憶されている情報を読み取るタグリーダー１０２と、第１のネットワークに接続可能とする送受信部１０５と、時間を計時する計時部１０６と、各部を制御する制御部１０８とで構成されている。
【００２７】
第１、第２のタグは、冷蔵庫１と電波を送受信するアンテナ１３１と所定の情報を記憶している記憶部１３２とで構成されている。
【００２８】
情報端末装置２００は、第１のネットワーク（図１の１５０）と接続可能とする第１の送受信部２０１と、第２のネットワーク（図２の２５０）と接続可能とする第２の送受信部２０２と、所定の情報を報知する報知部２０３と、入力部２０４と、所定の情報を記憶する記憶部２０５と、各部を制御する制御部２０６と、時間を計時する計時部２０７とで構成されている。
【００２９】
サーバー３００は、第２のネットワーク２５０と通信可能とする送受信部３０１と所定の情報を記憶している記憶部３０２とで構成されている。
【００３０】
図４は、食品４が冷蔵庫１に入庫される時の冷蔵庫使用者５０の手と第１のタグ３ａと食品４と第２のタグ３ｂとタグアンテナ５とを模式的にあらわした図（模式図）である。図５は、その時（食品４が冷蔵庫１に入庫される間）にタグリーダー５が読み取るタグの種類（第１のタグｏｒ第２のタグ）を時間の経過に沿って示した図である。この２つの図を用いて食品４が冷蔵庫１に入庫される時の第１、第２のタグ３ａ、３ｂとタグアンテナ５との動作を説明する。
【００３１】
食品４が冷蔵庫１に入庫する時には、まず食品４に取り付けられた第２のタグ３ｂがタグアンテナ５と通信可能となる領域に入りその後（時間とはしては短い）に冷蔵庫使用者５０の手と第１のタグ３ａがタグアンテナ５と通信可能となる。そして、使用者５０が冷蔵庫庫内に食品４を置くために第１、第２のタグ３ａ、３ｂともタグアンテナ５と通信可能な領域から逸脱し、食品４は冷蔵庫庫内に置かれる。更に入庫が終了すると使用者５０の手は庫外に移動し、その時第１のタグ３ａだけが再度タグアンテナ５と通信可能な領域に入る。つまり、食品４が冷蔵庫１に入庫される時は、タグアンテナ５は第２のタグ３ｂの電波を受信し（図５中５１）、次に第１のタグ３ａの電波を受信し（５２）、そして、再度第１のタグ３ａの電波を受信することになる（５３）。ここで５１から５２までに要する時間をＴ１、５２から５３までに要する時間をＴ２とする。
【００３２】
逆に図６は、食品４が冷蔵庫１から出庫される時の冷蔵庫使用者５０の手と第１のタグ３ａと食品４と第２のタグ３ｂとタグアンテナ５とを模式的にあらわした図（模式図）で、図７は、その時（食品４が冷蔵庫１から出庫される間）にタグリーダー５が読み取るタグの種類を時間の経過に沿って示した図である。この２つの図を用いて食品４が冷蔵庫１から出庫される時の第１、第２のタグ３ａ、３ｂとタグアンテナ５との動作を説明する。
【００３３】
食品４が冷蔵庫１から出庫する時には、まず冷蔵庫使用者５０が食品４を手に取るために庫内に手が移動する。その時第１のタグ３ａだけが先にタグアンテナ５と通信可能な領域に入る。そして食品４を手に取るために庫内奥に手が移動し、第１のタグ３ａはタグアンテナ５と通信可能な領域から逸脱する。冷蔵庫使用者５０の手が食品４を手に取り、食品４が庫外に移動するときに再び第１のタグ３ａがまずタグアンテナ５と通信可能な領域に入り、その後（時間としては短い）第２のタグ３ｂがタグアンテナ５と通信可能な領域に入る。つまり、食品４が冷蔵庫１から出庫される時は、タグアンテナ５は第１のタグ３ａの電波を受信し（図７中７１）、次に再度第１のタグ３ａの電波を受信し（７２）、そして第２のタグ３ｂの電波を受信することになる（７３）。ここで７１から７２までに要する時間をＴ３とし、７２から７３までに要する時間をＴ４とする。
【００３４】
以上をふまえて、本実施形態を図８のフローチャートを用いて説明する。まず、制御部１０８には内部処理を行うためにフラグ（Ａフラグ、Ｂフラグでともに初期値はＯＦＦ）を保持しているものとする。冷蔵庫１は、図８のフローチャートに記述する処理を繰り返すものとする。
【００３５】
ここでＳ６０４に記載している所定の時間とは図５、７で説明した時間Ｔ１、Ｔ４より大きく時間Ｔ２、Ｔ３よりも小さい任意の値に設定するものとする。なお、この設定値は、冷蔵庫１を使用する人によってＴ１、Ｔ２、Ｔ３、Ｔ４それぞれの大きさが変わるので使用者が変更可能とするようにしてもよい。
【００３６】
まず食品４が冷蔵庫１に入庫される時の動作について説明する。図５で説明したように入庫の際には第２のタグ３ｂ（５１）→第１のタグ３ａ（５２）→第１のタグ３ａ（５３）の順にタグアンテナ５はタグからの電波を受信することになる。これを次の１）２）３）で順次説明する。
【００３７】
１）まず第２のタグ３ｂ（５１）の読み取りにおいて、タグアンテナ５がタグと電波の授受が行える状態になり（Ｓ６０１）、タグアンテナ５がタグから送信される電波を受信すると（Ｓ６０２）、タグ（第１、第２のタグどちらかこの時点では不明）の記憶部１３２に記憶されている情報を読み取る（Ｓ６０３）。そして、計時部１０６が予め定められた時刻を計時しているか否かのか判別を行い（Ｓ６０４）（ここでは計時手段１０６は計時を行っていないのでＮＯの方に進む）、制御部１０８は読み取った情報から通信したタグが第１のタグ３ａか第２のタグ３ｂか判別する（Ｓ６０６）。
【００３８】
ここでは第２のタグ３ｂなので記憶部１０３に受信した情報（この情報には食品４の商品を識別する商品識別情報が含まれている）を記憶し（Ｓ６１３）、ＡフラグがＯＮかどうかを判断して（この場合はＯＦＦ）（Ｓ６１４）、ＢフラグをＯＦＦからＯＮに変更する（Ｓ６１８）。そして計時手段１０６が計時を開始し（Ｓ６１９）、再度タグからの電波を待つ状態になる（Ｓ６０１）。
【００３９】
２）次に第１のタグ３ａ（５２）の読み取りにおいて、タグアンテナ５が第１のタグ３ａから送信される電波を受信すると、Ｓ６０２〜Ｓ６０６は前記と同じである。Ｓ６０６では第１のタグ３ａなのでＢフラグがＯＮかどうかを判断して（この場合はＯＮ）（Ｓ６０７）、制御部１０８は食品４が入庫したと判別し（Ｓ６０８）、記憶部１０３に記憶しているその前にタグリーダー１０２が読み出した食品４の食品識別情報を情報端末装置２００に送受信部１０５を介して送信する（Ｓ６０９）。そして、制御部１０８は、記憶部１０３に記憶されている情報端末装置２００に送信済みの食品識別情報をクリアし（Ｓ６１０）、またタグからの電波を待つ状態になる（Ｓ６０１）。
【００４０】
３）最後に第１のタグ３ａ（５２）の読み取りにおいて、タグアンテナ５が第１のタグ３ａから送信される電波を受信するとＳ６０２〜Ｓ６０６は前記と同じである。Ｓ６０６では第１のタグ３ａなのでＢフラグがＯＮかどうかを判断して（この場合はＯＦＦ）（Ｓ６０７）、ＡフラグをＯＦＦからＯＮに変更する（Ｓ６１１）。そして計時手段１０６が計時を開始し（Ｓ６１２）、再度タグからの電波を待つ状態になる（Ｓ６０１）。
【００４１】
続いて食品４が冷蔵庫１から出庫される時の動作について説明する。図７で説明したように出庫の際には第１のタグ３ａ→第１のタグ３ａ→第２のタグ３ｂの順にタグアンテナ５はタグからの電波を受信することになる。これを次の４）５）６）で順次説明する。
【００４２】
４）まず第１のタグ３ａ（７１）の読み取りにおいて、タグアンテナ５がタグと電波の授受が行える状態になり（Ｓ６０１）、タグアンテナ５がタグから送信される電波を受信すると（Ｓ６０２）、タグ（第１、第２のタグどちらかこの時点では不明）の記憶部１３２に記憶されている情報を読み取る（Ｓ６０３）。そして、計時部１０６が予め定められた時刻を計時しているか否かのか判別を行い（Ｓ６０４）（ここでは計時手段１０６は計時を行っていないのでＮＯの方に進む）、制御部１０８は読み取った情報から通信したタグが第１のタグ３ａか第２のタグ３ｂか判別する（Ｓ６０６）。
【００４３】
ここでは第１のタグ３ａなのでＢフラグがＯＮかどうかを判断して（この場合はＯＦＦ）（Ｓ６０７）、ＡフラグをＯＦＦからＯＮに変更する（Ｓ６１１）。そして計時手段１０６が計時を開始し（Ｓ６１２）、再度タグからの電波を待つ状態になる（Ｓ６０１）。
【００４４】
５）次に第１のタグ３ａ（７２）の読み取りにおいて、タグアンテナ５が第１のタグ３ａから送信される電波を受信するとＳ６０２〜Ｓ６０６は前記と同じである。Ｓ６０６では第１のタグ３ａなのでＢフラグがＯＮかどうかを判断して（この場合はＯＦＦ）（Ｓ６０７）、ＡフラグをＯＦＦからＯＮに変更する（Ｓ６１１）。そして計時手段１０６が計時を開始し（Ｓ６１２）、再度タグからの電波を待つ状態になる（Ｓ６０１）。
【００４５】
６）最後に第２のタグ３ｂ（７３）の読み取りにおいて、タグアンテナ５が第２のタグ３ｂから送信される電波を受信するとＳ６０２〜Ｓ６０６は前記と同じである。Ｓ６０６では第２のタグ３ｂなので記憶部１０３に受信した情報（この情報には食品４の商品を識別する商品識別情報が含まれている）を記憶し（Ｓ６１３）、ＡフラグがＯＮかどうかを判断して（この場合はＯＮ）（Ｓ６１４）、制御部１０８は食品４が出庫したと判別して（Ｓ６１４）、記憶部１０３に記憶しているその前にタグリーダー１０２が読み出した食品４の食品識別情報を情報端末装置２００に送受信部１０５を介して送信する（Ｓ６１６）。そして、制御部１０８は、記憶部１０３に記憶されている情報端末装置２００に送信済みの食品識別情報をクリアし（Ｓ６１７）、またタグからの電波を待つ状態になる（Ｓ６０１）。
【００４６】
なお、入庫動作や出庫動作が続けて行われた場合（本実施の形態では出庫が続けて行われた場合を考える）については次のような動作をする。その動作について図９を用いて説明する。
【００４７】
食品４の出庫が２回続いた場合には、タグリーダー５が読み取るタグの種類（第１のタグｏｒ第２のタグ）を時間の経過に沿って示した図は図９のようになる。そして、タグアンテナ５が電波を受信することになるタグの順番は第２のタグ３ｂ（図９中９１）→第１のタグ３ａ（９２）→第１のタグ３ａ（９３）→第２のタグ３ｂ（９４）→第１のタグ３ａ（９５）→第１のタグ３ａ（９６）になる。
【００４８】
ここで問題になるのは９３から９４のタグとの電波の受信を行った場合であるが、冷蔵庫使用者は庫外にある食品４を手に取ったり、その動作のための振り返ったり、しゃがんだりすることになるのでタグの読み取り間隔を計時する第１の計時部１０６は所定の時間よりも多く時間を計時することになる（図９中の時間Ｔ）。そしてＳ６０４の判別（第１の計時部による所定時間の計時）でＹＥＳとなりＡ、Ｂ両フラグをＯＦＦに変更することになるので誤って入出庫の判別を行わない。
【００４９】
以上のように、第１、第２の非接触ＩＤタグのどちらか片方の非接触ＩＤタグからの電波を受信した後、前記計時部が予め定められた時間を計時した後に第１、第２どちらかの非接触ＩＤタグからの電波を受信した場合には、再度前記計時部が時間の計時を開始するようにすることにより、入出庫の判別を行う場合以外は常に計時部が時間を計時するようになるので、連続した食品入庫出庫が行われた場合の誤った入出庫の判別を冷蔵庫１が行うことを防ぐことが可能になる。
【００５０】
なお、Ａ、ＢフラグをＯＮからＯＦＦに変更することを食品の入出庫判別を行った後にするようにしてもよい。
【００５１】
なお、本実施の形態で説明した部は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作業が簡単にできる。
【産業上の利用可能性】
【００５２】
以上のように、本発明にかかる食品管理機能付冷蔵庫とそのプログラムは、比較的安価である非接触ＩＤを複数用いて食品の入出庫を管理することが可能であるので、言葉を変えると冷蔵庫の使用状況を管理することにもなるので冷蔵庫を使用する使用者の安否確認などへの用途にも適用することができる。
【図面の簡単な説明】
【００５３】
【図１】本発明の実施の形態１におけるシステム構成図
【図２】本発明の実施の形態１における斜視図
【図３】本発明の実施の形態１における機能ブロック図
【図４】本発明の実施の形態１における入庫時の模式図
【図５】本発明の実施の形態１における入庫時のタグアンテナが交信するタグの種類を時間の経過に沿って示した図
【図６】本発明の実施の形態１における出庫時の模式図
【図７】本発明の実施の形態１における出庫時のタグアンテナが交信するタグの種類を時間の経過に沿って示した図
【図８】本発明の実施の形態１における冷蔵庫のフローチャート
【図９】本発明の実施の形態１における複数の食品を入庫した場合のタグアンテナが交信するタグの種類を時間の経過に沿って示した図
【図１０】従来の冷蔵庫の構成図
【図１１】従来の冷蔵庫の斜視図
【符号の説明】
【００５４】
１  冷蔵庫
２  コントロールマイコン
３  非接触ＩＤタグ（タグ）
３ａ  第１の非接触ＩＤタグ（第１のタグ）
３ｂ  第２の非接触ＩＤタグ（第２のタグ）
４  食品
５  タグアンテナ
６  タグリーダーライター
７、２０３、２０６  報知部
８、１０３、１３２、２０５、３０２  記憶部
９  内部時計
２１  第１のタグアンテナ
２２  第２のタグアンテナ
５０  冷蔵庫使用者（人）
１０２  タグリーダー
１０５、３０１  送受信部
１０６、２０７  計時部
１０８  制御部
１３１  アンテナ
１５０  第１のネットワーク
２００  情報端末装置
２０１  第１の送受信部
２０２  第２の送受信部
２０４  入力部
２５０  第２のネットワーク
３００  サーバー
【図１】
2005326113.tif 000003
【図２】
2005326113.tif 000004
【図３】
2005326113.tif 000005
【図４】
2005326113.tif 000006
【図５】
2005326113.tif 000007
【図６】
2005326113.tif 000008
【図７】
2005326113.tif 000009
【図８】
2005326113.tif 000010
【図９】
2005326113.tif 000011
【図１０】
2005326113.tif 000012
【図１１】
2005326113.tif 000013